(57)【要約】【課題】一対多のメッセージングサービスにおいて一度の操作で異なるメッセージを特定の受信者に伝送することができるメッセージ伝送装置及びその方法を提供する。【解決手段】本発明のメッセージ電送装置は、複数のアドレスフィールドの全てのアドレスフィールドに設定される受信者アドレスを対象とする基本メッセージと、前記複数のアドレスフィールドのうち特定のアドレスフィールドに設定される受信者アドレスを対象とするヒドゥンメッセージと、を含む伝送メッセージを生成するメッセージ生成部と、前記伝送メッセージを前記受信者アドレスにそれぞれ伝送する制御部と、を含んで構成されたことを特徴とする。【選択図】図１
2007141236.tif 000002
【特許請求の範囲】
【請求項１】
複数のアドレスフィールドの全てのアドレスフィールドに設定される受信者アドレスを対象とする基本メッセージと、前記複数のアドレスフィールドのうち特定のアドレスフィールドに設定される受信者アドレスを対象とするヒドゥンメッセージと、を含む伝送メッセージを生成するメッセージ生成部と、
前記伝送メッセージを前記受信者アドレスにそれぞれ伝送する制御部と、
を含んで構成されたことを特徴とするメッセージ伝送装置。
【請求項２】
前記メッセージ生成部は、
基本メッセージフィールドに入力される前記基本メッセージを含む第１伝送メッセージと、
前記基本メッセージフィールドに入力される前記基本メッセージとヒドゥンメッセージフィールドに入力される前記ヒドゥンメッセージとを含む第２伝送メッセージと、
を生成することを特徴とする請求項１に記載のメッセージ伝送装置。
【請求項３】
前記複数のアドレスフィールドは、
第１アドレスフィールドと第２アドレスフィールドとを少なくとも含んで構成されることを特徴とする請求項２に記載のメッセージ伝送装置。
【請求項４】
前記制御部は、
前記第１アドレスフィールドに設定される受信者アドレスに前記第１伝送メッセージを伝送し、
前記第２アドレスフィールドに設定される受信者アドレスに前記第２伝送メッセージを伝送することを特徴とする請求項３に記載のメッセージ伝送装置。
【請求項５】
前記メッセージ生成部は、
基本メッセージフィールドに入力される前記基本メッセージとヒドゥンメッセージフィールドに入力される前記ヒドゥンメッセージとを含む第３伝送メッセージを生成し、
前記ヒドゥンメッセージが、前記複数のアドレスフィールドのうち特定のアドレスフィールドに設定された受信者アドレスの端末機でのみ表示されるように前記第３伝送メッセージを設定することを特徴とする請求項１に記載のメッセージ伝送装置。
【請求項６】
前記制御部は、
前記複数のアドレスフィールドの全てのアドレスフィールドに設定される受信者アドレスに前記第３伝送メッセージを伝送することを特徴とする請求項５に記載のメッセージ伝送装置。
【請求項７】
前記伝送メッセージは、
前記複数のアドレスフィールドが設けられた受信者入力部と、前記基本メッセージフィールド及び前記ヒドゥンメッセージフィールドが設けられたメッセージ入力部とを含んで構成される入力テーブルへの入力に基づいて生成されることを特徴とする請求項１に記載のメッセージ伝送装置。
【請求項８】
前記受信者入力部は、
前記基本メッセージを伝送する受信者アドレスが設定される第１アドレスフィールドと、前記基本メッセージと共に前記ヒドゥンメッセージを伝送する受信者アドレスが設定される第２アドレスフィールドとを含んで構成されることを特徴とする請求項７に記載のメッセージ伝送装置。
【請求項９】
前記メッセージ入力部は、
前記基本メッセージフィールドと前記ヒドゥンメッセージフィールドとを少なくとも含んで構成されることを特徴とする請求項７に記載のメッセージ伝送装置。
【請求項１０】
前記基本メッセージフィールドに入力される基本メッセージを前記第１アドレスフィールドに設定される受信者アドレスに伝送し、前記基本メッセージ及び該基本メッセージフィールド以外のメッセージフィールドに入力される追加メッセージを前記第２アドレスフィールドに設定される受信者アドレスに伝送することを特徴とする請求項９に記載のメッセージ伝送装置。
【請求項１１】
前記基本メッセージフィールドに入力される基本メッセージを前記第１アドレスフィールドに設定される受信者アドレスに伝送し、前記基本メッセージ及び前記ヒドゥンメッセージフィールドに入力されるヒドゥンメッセージを前記第２アドレスフィールドに設定される受信者アドレスに伝送することを特徴とする請求項９に記載のメッセージ伝送装置。
【請求項１２】
前記ヒドゥンメッセージを、前記第１アドレスフィールドに設定される受信者アドレスの端末機では表示されないように設定し、
前記基本メッセージフィールドに入力される基本メッセージ及び前記ヒドゥンメッセージフィールドに入力されるヒドゥンメッセージを前記第１アドレスフィールドと前記第２アドレスフィールドとに設定される受信者アドレスに伝送することを特徴とする請求項９に記載のメッセージ伝送装置。
【請求項１３】
第１アドレスフィールド及び第２アドレスフィールドに受信者アドレスが設定される段階と、
前記第１アドレスフィールド及び前記第２アドレスフィールドの全てのアドレスフィールドに設定される受信者アドレスを対象とする第１メッセージと、前記第２アドレスフィールドに設定される受信者アドレスを対象とする第２メッセージと、が入力される段階と、
前記第１アドレスフィールドに設定された受信者アドレスに前記第１メッセージを伝送する段階と、
前記第２アドレスフィールドに設定された受信者アドレスに前記第１メッセージと前記第２メッセージとを伝送する段階と、
を含んで構成されることを特徴とするメッセージ伝送方法。
【請求項１４】
第１アドレスフィールド及び第２アドレスフィールドに受信者アドレスが設定される段階と、
前記第１アドレスフィールド及び前記第２アドレスフィールドの全てのフィールドに設定される受信者アドレスを対象とする基本メッセージとヒドゥンメッセージとが入力される段階と、
前記ヒドゥンメッセージを、前記第２アドレスフィールドに設定される受信者アドレスの端末機でのみ表示されるように設定する段階と、
前記基本メッセージ及び前記ヒドゥンメッセージを第１アドレスフィールド及び第２アドレスフィールドに設定される受信者アドレスに伝送する段階と、
を含んで構成されることを特徴とするメッセージ伝送方法。
【発明の詳細な説明】
【技術分野】
【０００１】
本発明は、メッセージングサービスに関し、特に、一対多のメッセージングサービスに関する。
【背景技術】
【０００２】
移動通信網や有線、無線インターネットを通じたメール（E-MAILサービス）又はメッセージングサービス（MULTIMEDIA MESSAGING SERVICEなど）は、個人加入者の意志伝達手段として利用されるだけではなく、企業などの商業的な目的としても利用されており、その伝送方式によって一対一又は一対多の伝送方式に分けることができる。
【０００３】
一般に、一対一伝送とは、送信者と受信者が一対一で指定されたメッセージを伝送する方式であり、通常は個人間の意志伝達に利用される。また、一対多伝送とは、一人の加入者が特定多数の加入者にメッセージを伝送する方式であって、一度に同一情報を複数人に伝達することができ、個人のコミュニティ形成並びに企業の広告メール若しくは情報提供などに多く利用されており、今後多様な形態のメッセージングサービスに適用される見通しである。
【発明の開示】
【発明が解決しようとする課題】
【０００４】
しかし、従来の一対多の伝送方式は、同一内容のメッセージを多数の加入者に伝送することはできるが、多数の加入者にそれぞれ異なる内容のメッセージを伝送する個別伝送は不可能である。すなわち、従来の一対多の伝送方式においては、送信者が特定の受信者に異なる内容のメッセージを伝送しようとする時は、メッセージを新たに作成しなければならなかった。
【０００５】
従って、本発明は、一度のメッセージ作成過程だけで、異なる複数のメッセージを異なる受信者に伝送することができるメッセージ伝送装置及びその方法を提供することを目的とする。
【課題を解決するための手段】
【０００６】
前記の目的を達成する本発明のメッセージ伝送装置は、複数のアドレスフィールドの全てのアドレスフィールドに設定される受信者アドレスを対象とする基本メッセージと、前記複数のアドレスフィールドのうち特定のアドレスフィールドに設定される受信者アドレスを対象とするヒドゥンメッセージと、を含む伝送メッセージを生成するメッセージ生成部と、前記伝送メッセージを前記受信者アドレスにそれぞれ伝送する制御部と、を含んで構成されたことを特徴とする。
【０００７】
本発明において前記メッセージ生成部は、基本メッセージフィールドに入力される前記基本メッセージを含む第１伝送メッセージと、前記基本メッセージフィールドに入力される前記基本メッセージとヒドゥンメッセージフィールドに入力される前記ヒドゥンメッセージとを含む第２伝送メッセージと、を生成することを特徴とする。
【０００８】
前記複数のアドレスフィールドは、第１アドレスフィールドと第２アドレスフィールドとを少なくとも含んで構成されることを特徴とする。
【０００９】
前記制御部は、前記第１アドレスフィールドに設定される受信者アドレスに前記第１伝送メッセージを伝送し、前記第２アドレスフィールドに設定される受信者アドレスに前記第２伝送メッセージを伝送することを特徴とする。
【００１０】
また、本発明において前記メッセージ生成部は、基本メッセージフィールドに入力される前記基本メッセージとヒドゥンメッセージフィールドに入力される前記ヒドゥンメッセージとを含む第３伝送メッセージを生成し、前記ヒドゥンメッセージが、前記複数のアドレスフィールドのうち特定のアドレスフィールドに設定された受信者アドレスの端末機でのみ表示されるように前記第３伝送メッセージを設定することを特徴とする。
【００１１】
この場合、前記制御部は、前記複数のアドレスフィールドの全てのアドレスフィールドに設定される受信者アドレスに前記第３伝送メッセージを伝送することを特徴とする。
【００１２】
前記伝送メッセージは、前記複数のアドレスフィールドが設けられた受信者入力部と、前記基本メッセージフィールド及び前記ヒドゥンメッセージフィールドが設けられたメッセージ入力部とを含んで構成される入力テーブルへの入力に基づいて生成されることを特徴とする。
【００１３】
前記受信者入力部は、前記基本メッセージを伝送する受信者アドレスが設定される第１アドレスフィールドと、前記基本メッセージと共に前記ヒドゥンメッセージを伝送する受信者アドレスが設定される第２アドレスフィールドとを含んで構成されることを特徴とする。また、前記メッセージ入力部は、前記基本メッセージフィールドと前記ヒドゥンメッセージフィールドとを少なくとも含んで構成されることを特徴とする。
【００１４】
メッセージ伝送装置は、前記基本メッセージフィールドに入力される基本メッセージを前記第１アドレスフィールドに設定される受信者アドレスに伝送し、前記基本メッセージ及び該基本メッセージフィールド以外のメッセージフィールドに入力される追加メッセージを前記第２アドレスフィールドに設定される受信者アドレスに伝送することを特徴とする。
【００１５】
また、メッセージ伝送装置は、前記基本メッセージフィールドに入力される基本メッセージを前記第１アドレスフィールドに設定される受信者アドレスに伝送し、前記基本メッセージ及び前記ヒドゥンメッセージフィールドに入力されるヒドゥンメッセージを前記第２アドレスフィールドに設定される受信者アドレスに伝送することを特徴とする。
【００１６】
さらに、メッセージ伝送装置は、前記ヒドゥンメッセージを、前記第１アドレスフィールドに設定される受信者アドレスの端末機では表示されないように設定し、前記基本メッセージフィールドに入力される基本メッセージ及び前記ヒドゥンメッセージフィールドに入力されるヒドゥンメッセージを前記第１アドレスフィールドと前記第２アドレスフィールドとに設定される受信者アドレスに伝送することを特徴とする。
【００１７】
また、前述の目的を達成する本発明のメッセージ伝送方法は、第１アドレスフィールド及び第２アドレスフィールドに受信者アドレスが設定される段階と、前記第１アドレスフィールド及び前記第２アドレスフィールドの全てのアドレスフィールドに設定される受信者アドレスを対象とする第１メッセージと、前記第２アドレスフィールドに設定される受信者アドレスを対象とする第２メッセージと、が入力される段階と、前記第１アドレスフィールドに設定された受信者アドレスに前記第１メッセージを伝送する段階と、前記第２アドレスフィールドに設定された受信者アドレスに前記第１メッセージと前記第２メッセージとを伝送する段階と、を含んで構成されることを特徴とする。
【００１８】
さらに、前述の目的を達成する本発明のメッセージ伝送方法は、第１アドレスフィールド及び第２アドレスフィールドに受信者アドレスが設定される段階と、前記第１アドレスフィールド及び前記第２アドレスフィールドの全てのフィールドに設定される受信者アドレスを対象とする基本メッセージとヒドゥンメッセージとが入力される段階と、前記ヒドゥンメッセージを、前記第２アドレスフィールドに設定される受信者アドレスの端末機でのみ表示されるように設定する段階と、前記基本メッセージ及び前記ヒドゥンメッセージを第１アドレスフィールド及び第２アドレスフィールドに設定される受信者アドレスに伝送する段階と、を含んで構成されることを特徴とする。
【発明の効果】
【００１９】
本発明は、一対多のメッセージサービスを使用する場合に、一度のメッセージ作成過程において、全ての受信者アドレスを対象とする同一内容の基本メッセージを入力することができると共に、特定の受信者アドレスを対象とするヒドゥンメッセージを入力することができるようにし、全ての受信者アドレスには基本メッセージを伝送し、特定の受信者アドレスには追加のヒドゥンメッセージをも伝送することができるようにした。従って、特定の受信者アドレスを対象とした追加のヒドゥンメッセージを別途のメッセージ作成過程において入力しなくても、複数の受信者アドレス、基本メッセージ、ヒドゥンメッセージを一度のメッセージ作成過程で入力することができ、複数の異なる伝送メッセージを一対多のメッセージサービスで一度に伝送することができるようになる。
【発明を実施するための最良の形態】
【００２０】
以下、本発明の好ましい実施形態について図面を参照して説明する。
図１は、本発明の一実施形態によるメッセージ伝送装置を示す図である。
図１に示すように、本発明の一実施形態によるメッセージ伝送装置は、伝送メッセージ、受信者アドレス、各種命令が入力される入力部１０と、第１アドレスフィールド及び第２アドレスフィールドに設定された受信者アドレスを対象とする基本メッセージと第２アドレスフィールドに設定された受信者アドレスを対象とするヒドゥンメッセージとを含む伝送メッセージを生成するメッセージ生成部２０と、第１アドレスフィールドに設定（入力）された受信者アドレスには基本メッセージのみを含む第１伝送メッセージを伝送し、第２アドレスフィールドに設定（入力）された受信者アドレスには基本メッセージとヒドゥンメッセージとを含む第２伝送メッセージを伝送する制御部３０と、を含んで構成される。
【００２１】
図２は、本発明の一実施形態による伝送メッセージを作成する入力テーブルの構造を示す図である。
図２に示すように、本発明の一実施形態による伝送メッセージを作成する入力テーブル構造は、受信者入力部３１０とメッセージ入力部３５０とを含んで構成される。受信者入力部３１０は、基本メッセージだけを受信させたい受信者のアドレス（電話番号あるいはメールアドレス）が入力される第１アドレスフィールド３２０と、基本メッセージと共にヒドゥンメッセージを受信させたい受信者のアドレス（カーボンコピー受信者アドレス）（電話番号あるいはメールアドレス）が入力される第２アドレスフィールド３３０と、を含んで構成される。また、メッセージ入力部３５０は、基本メッセージが入力される基本メッセージフィールド３６０とヒドゥンメッセージが入力されるヒドゥンメッセージフィールド３７０とを含んで構成される。
【００２２】
図３は、本発明の第１実施形態によるメッセージ伝送方法を示すフローチャートである。
図１〜図３を参照して本発明の第１実施形態によるメッセージ伝送方法の過程を詳細に説明する。説明の便宜のために、メッセージ送信者が特定の会の幹事であり、メッセージ受信者が会の参加者であり、会の幹事が会の参加者を会費納入者グループと会費未納者グループに分けて、これら二つのグループの参加者に会の案内メッセージを伝送する場合を仮定する。
【００２３】
会の幹事は、まず、自身の移動通信端末機のメニューキーを操作してメッセージングサービスアプリケーションを起動する（Ｓ１０）。そして、入力部（例：キーパッド）１０を操作して会費納入者（イ、ロ、ハ、ニ）のアドレス（電話番号あるいはメールアドレス）と会費未納者（ホ、ヘ、ト）のアドレス（電話番号あるいはメールアドレス）とを、第１アドレスフィールド３２０と第２アドレスフィールド３３０とにそれぞれ区分して入力する（Ｓ２０）。
【００２４】
次いで、受信者（会費納入者及び未納者）のアドレスが全て入力されると、会の幹事は、会費納入者と未納者の全員に共通して伝送する基本メッセージ（例：会の日時及び場所に関する情報）を基本メッセージフィールド３６０に入力する。そして、会費未納者にのみ伝送するヒドゥンメッセージ（例：会費納入を督促する内容）をヒドゥンメッセージフィールド３７０に入力する（Ｓ３０）。
【００２５】
前述した受信者アドレス、基本メッセージ及びヒドゥンメッセージの入力が完了すると、メッセージ生成部２０は、第１アドレスフィールド３２０に設定された受信者アドレス（イ、ロ、ハ、ニ）に伝送する第１伝送メッセージＡ（基本メッセージのみを含む）と第２アドレスフィールド３３０に設定された受信者アドレス（ホ、ヘ、ト）に伝送する第２伝送メッセージＢ（基本メッセージとヒドゥンメッセージとを含む）とをそれぞれ生成する（Ｓ４０）。そして、制御部３０にメッセージ生成が完了したことを通知する。次いで、制御部３０は、送信者である会の幹事の操作に応じて、送信部を通じ、生成された第１伝送メッセージＡと第２伝送メッセージＢとを該当する受信者アドレスにそれぞれ伝送する（Ｓ５０）。
【００２６】
図４は、本発明の第２実施形態によるメッセージ伝送方法を示すフローチャートである。
以下、本発明の第２実施形態によるメッセージ伝送方法の過程を説明する。
本発明の第１実施形態と同様に、本実施形態の会の幹事は、メッセージングサービスアプリケーションを起動して（Ｓ１１０）、会費納入者（イ、ロ、ハ、ニ）のアドレス（電話番号あるいはメールアドレス）と会費未納者（ホ、ヘ、ト）のアドレス（電話番号あるいはメールアドレス）とを、第１アドレスフィールド３２０と第２アドレスフィールド３３０とにそれぞれ区分して入力する（Ｓ１２０）。
【００２７】
そして、会の幹事は、基本メッセージである「会の日時及び場所に関する情報」を基本メッセージフィールド３６０に入力し、ヒドゥンメッセージである「会費納入を督促する内容」をヒドゥンメッセージフィールド３７０に入力する（Ｓ１３０）。
【００２８】
前述した受信者アドレス、基本メッセージ及びヒドゥンメッセージが全て入力されると、メッセージ生成部２０は、第２アドレスフィールド３３０に設定された受信者アドレス（ホ、ヘ、ト）の端末機でのみヒドゥンメッセージが表示される（ヒドゥンメッセージフィールド３７０の内容が見える）ように設定した第３伝送メッセージ（基本メッセージフィールドとヒドゥンメッセージフィールドとを含む）を生成する（Ｓ１４０）。そして、制御部３０にメッセージ生成が完了したことを通知する。
【００２９】
次いで、制御部３０は、送信者である会の幹事の操作に応じて、送信部を通じ、生成された第３メッセージを該当するアドレス（イ、ロ、ハ、ニ、ホ、ヘ、ト）にそれぞれ伝送する（Ｓ１５０）。ここで、第１アドレスフィールド３２０に設定された受信者アドレス（イ、ロ、ハ、ニ）の端末機では、ヒドゥンメッセージの表示が禁止されている。従って、第１アドレスフィールドの受信者は、基本メッセージフィールド３６０の内容（会の日時及び場所に関する情報）を見ることはできるが、ヒドゥンメッセージフィールド３７０の内容（「会費納入を督促」）を見ることはできない。一方、第２アドレスフィールドに設定された受信者アドレス（ホ、ヘ、ト）の端末機では、基本メッセージ及びヒドゥンメッセージを表示することができる。従って、第２アドレスフィールドの受信者は、基本メッセージフィールド３６０及びヒドゥンメッセージフィールド３７０の双方の内容を見ることができる。
【００３０】
受信者のアドレス入力過程（Ｓ２０、Ｓ１２０）とメッセージ入力過程（Ｓ３０、Ｓ１３０）との順序は、移動通信端末機のモデルやメーカによって適宜変更され、その順序を定めない構成であってもよい。
【００３１】
本発明によるメッセージ伝送装置及びその方法は、前述した実施形態に限定されるものではなく、本発明の技術思想から逸脱しない範囲内で多様に変形して実施することができる。
【図面の簡単な説明】
【００３２】
【図１】本発明の一実施形態によるメッセージ伝送装置を示す図である。
【図２】本発明の一実施形態による伝送メッセージを作成するための入力テーブルの構造を示す図である。
【図３】本発明の第１実施形態によるメッセージ伝送方法を示すフローチャートである。
【図４】本発明の第２実施形態によるメッセージ伝送方法を示すフローチャートである。
【符号の説明】
【００３３】
１０：入力部
２０：メッセージ生成部
３０：制御部
【図１】
2007141236.tif 000003
【図２】
2007141236.tif 000004
【図３】
2007141236.tif 000005
【図４】
2007141236.tif 000006